(57)【要約】【課題】記録された放送番組のコマーシャル部分が削除されても、スポンサ情報を視聴者に報知する。【解決手段】記録再生機１１は、テレビ放送番組の信号を記録媒体９に記録中にテレビ番組内のコマーシャル区間の垂直帰線消去区間に重畳されているスポンサ情報１００を検出してスポンサ情報１６として記録媒体に保存し、記録媒体に記録されているテレビ放送番組の信号の再生時に記録媒体に保存されているスポンサ情報の映像を外部モニタ１２に出力する。【選択図】図７
2007116553.tif 000002
【特許請求の範囲】
【請求項１】
記録媒体に対して情報を記録再生する記録再生装置において、
テレビ放送番組がコマーシャル区間を有し、このコマーシャル区間の垂直帰線消去区間に前記コマーシャルのスポンサ情報が重畳されている場合に、
入来した前記テレビ放送番組の信号から前記スポンサ情報を検出し、
検出した前記スポンサ情報と前記テレビ放送番組の映像音声情報とを、お互いに独立して前記記録媒体に記録するスポンサ情報検出保存手段と、
前記記録媒体に記録された前記テレビ放送番組の映像音声情報を再生する際に、
前記記録媒体からその記録媒体に記録された前記スポンサ情報を取得し、
取得した前記スポンサ情報を内部又は外部の表示手段に表示させる映像信号を出力するスポンサ情報出力手段とを、
備えたことを特徴とする記録再生装置。
【請求項２】
前記スポンサ情報が、そのスポンサのホームページを特定するリンク情報を含む場合に、
前記リンク情報に基づいて前記ホームページを取得し、取得した前記ホームページの画像を前記表示手段に表示させる映像信号を出力するホームページ出力手段を更に備えたことを特徴とする請求項１に記載の記録再生装置。
【請求項３】
前記スポンサ情報出力手段は、
前記記録媒体に、複数のスポンサ情報がそのスポンサ情報に対応するコマーシャルのプライオリティ情報をそれぞれ含んで記録されている場合に、
記録された前記複数のスポンサ情報を、前記プライオリティ情報に基づいた順番で前記表示手段に表示させる映像信号を出力することを特徴とする請求項１又は２に記載の記録再生装置。
【発明の詳細な説明】
【技術分野】
【０００１】
本発明は、テレビ放送番組を記録再生する記録再生装置に関する。
【背景技術】
【０００２】
テレビ番組内のコマーシャル区間でスポンサのＵＲＬ（Uniform Resource Locator）を視聴者に報知して、視聴者がスポンサのＵＲＬにアクセスすることを促す方法としては、コマーシャル映像信号の垂直帰線消去期間に文字信号を重畳して送信する方法（例えば、下記の特許文献１）や、コマーシャル映像そのものに文字映像で重畳する方法（例えば、下記の特許文献２）が知られている。
【特許文献１】特開２００２−２９０９３１号公報（要約書）
【特許文献２】特開２００２−１３５７５１号公報（段落００１５）
【発明の開示】
【発明が解決しようとする課題】
【０００３】
しかしながら、近年の記録再生装置では、記録したテレビ番組を個人が容易に編集できるようになっているので、放送番組のコマーシャル部分が削除されてしまい、再生の度にコマーシャルが流れることで提供できていたスポンサ情報が提供できない場合が発生している。このため、スポンサのホームページのＵＲＬなどのスポンサ情報をコマーシャル映像信号の垂直帰線消去期間に文字信号で送信したり、コマーシャル映像そのものに重畳しても、コマーシャル部分が削除されると、視聴者に報知することができないという問題点がある。
【０００４】
本発明は上記従来技術の問題点に鑑み、記録された放送番組のコマーシャル部分が削除されても、スポンサ情報を視聴者に報知することができる記録再生装置を提供することを目的とする。
【課題を解決するための手段】
【０００５】
本発明は上記目的を達成するために、記録媒体に対して情報を記録再生する記録再生装置において、
テレビ放送番組がコマーシャル区間を有し、このコマーシャル区間の垂直帰線消去区間に前記コマーシャルのスポンサ情報が重畳されている場合に、
入来した前記テレビ放送番組の信号から前記スポンサ情報を検出し、
検出した前記スポンサ情報と前記テレビ放送番組の映像音声情報とを、お互いに独立して前記記録媒体に記録するスポンサ情報検出保存手段と、
前記記録媒体に記録された前記テレビ放送番組の映像音声情報を再生する際に、
前記記録媒体からその記録媒体に記録された前記スポンサ情報を取得し、
取得した前記スポンサ情報を内部又は外部の表示手段に表示させる映像信号を出力するスポンサ情報出力手段とを、
備えたことを特徴とする。
【０００６】
本発明はまた、前記スポンサ情報が、そのスポンサのホームページを特定するリンク情報を含む場合に、
前記リンク情報に基づいて前記ホームページを取得し、取得した前記ホームページの画像を前記表示手段に表示させる映像信号を出力するホームページ出力手段を更に備えたことを特徴とする。
また、前記スポンサ情報出力手段は、
前記記録媒体に、複数のスポンサ情報がそのスポンサ情報に対応するコマーシャルのプライオリティ情報をそれぞれ含んで記録されている場合に、
記録された前記複数のスポンサ情報を、前記プライオリティ情報に基づいた順番で前記表示手段に表示させる映像信号を出力することを特徴とする。
【発明の効果】
【０００７】
本発明によれば、テレビ放送番組を記録媒体に記録中にコマーシャル区間のスポンサ情報を検出して保存し、テレビ放送番組の再生時にモニタに出力するので、記録された放送番組のコマーシャル部分が削除されても、スポンサ情報を視聴者に報知することができる。
【発明を実施するための最良の形態】
【０００８】
以下、図面を参照して本発明の一実施の形態について説明する。図１はテレビ放送番組内のコマーシャル区間の信号垂直帰線消去区間に重畳されているコマーシャルのスポンサ情報の一例を示し、このスポンサ情報１００は概略的に、コマーシャルごとのプライオリティを示すプライオリティ情報１０１と、コマーシャルのアピール方法１０２により構成されている。プライオリティ情報１０１は５段階であり、各段階ごとにアピール方法１０２は、
プライオリティ＝１：スポンサ名（太文字）、詳細情報、ホームページへのリンク情報（ＵＲＬ）
プライオリティ＝２：スポンサ名、詳細情報、ホームページへのリンク情報（ＵＲＬ）
プライオリティ＝３：スポンサ名、ホームページへのリンク情報（ＵＲＬ）
プライオリティ＝４：スポンサ名、詳細情報
プライオリティ＝５：スポンサ名
により構成されている。すなわち、このスポンサ情報１００を基に、送信側は、テレビ番組のコマーシャル区間の信号垂直帰線消去区間にスポンサ名やＵＲＬなどの情報１０２と共に、スポンサのプライオリティ情報１０１を重畳する。
【０００９】
図２は本発明の一実施の形態における記録再生機１１を示す。放送信号はアンテナ３を通して記録再生機１１内のチューナ４に取り込まれ、ユーザの指示によりある特定の放送が選択されるとチューナ４で選択され、プライオリティ情報１０１が付加されたテレビ信号がデコーダ／エンコーダ部５に取り込まれ、デコーダ／エンコーダ部５のデコーダ部においてプライオリティ情報１０１を含むスポンサ情報１００と映像音声データを取得する。映像音声データはデコーダ／エンコーダ部５のエンコーダ部で、記録媒体９に記録する形態に変換され、ＣＰＵ６及びピックアップ８を通して記録媒体９に記録される。他方、スポンサ情報１００はＣＰＵ６を通してメモリ７に一時的に保存され、記録動作終了までの間スポンサ情報１００を取得するたびにメモリ７に追加保存される（図２のメモリ７ａ、７ｂ、７ｃ）。記録動作終了と共にメモリ７に保存したスポンサ情報１００をＣＰＵ６、ピックアップ８を経由して記録媒体９に記録する。
【００１０】
図３は記録媒体９上の論理的な記録位置を示した例である。ナビゲーションデータ領域１４には記録媒体９上に記録した映像音声データを再生するためにエンコード時に作成したナビゲーションデータを記録し、スポンサ情報１００もこの領域１４に記録する。１５は番組の映像音声データを記録する領域である。図４はナビゲーションデータ領域１４に記録した保存スポンサ情報１６の一例を示し、保存スポンサ情報１６はプライオリティの順で記録される。
【００１１】
図５は記録媒体９内に記録されている番組を再生する際に外部のモニタ１２に出力して表示するメニュー画面１７−１を示し、メニュー画面１７−１には、記録した番組を表すサムネイル１８−１〜１８−６が表示される。図６は図５のメニュー画面１７−１上で、サムネイル１８−１が選択された際に出力される画面１７−２を示し、画面１７−２上には、アイコン１８−１と、この画面１７−２を説明するメッセージ１９と、図４のナビゲーションデータ領域１４に記録した各保存スポンサ情報１６ごとにプライオリティ順に配列した詳細情報２０−１〜２０−４と、再生開始ボタン２１が表示される。
【００１２】
以下、図７，図８のフローチャート図に沿って処理の説明を行う。まず、図７を用いて記録動作について説明する。チューナ４において記録対象の放送チャネルが選択され（ステップＳ１）、記録動作が実行されると（ステップＳ２）、デコーダ／エンコーダ部５のデコーダ部において映像音声データとスポンサ情報１００を抽出するための処理が実行される（ステップＳ３）。スポンサ情報１００はコマーシャル区間のみに存在するため、コマーシャル区間以外では、デコードされた映像音声データがデコーダ／エンコーダ部５のエンコーダ部においてエンコードされ（ステップＳ４→Ｓ６）、ＣＰＵ６、ピックアップ８を通して記録媒体９に記録される（ステップＳ７）。他方、記録区間がコマーシャル区間に移るとデコーダ部で取得したスポンサ情報１００を保存スポンサ情報１６としてメモリ７に保存する（ステップＳ５→Ｓ６）。ステップＳ３〜Ｓ７の処理を記録が停止されるまで繰り返し（ステップＳ８）、記録が停止されると（ステップＳ８でＹＥＳ）、ＣＰＵ６はメモリ７上に保存したスポンサ情報１６を記録媒体９の映像音声データ記録領域１５とは論理的に異なるナビゲーションデータ領域１４に記録する（ステップＳ９）。
【００１３】
次に図８を用いて再生動作について説明する。再生が実行されると（ステップＳ１１）、ＣＰＵ６は記録媒体９のナビゲーションデータ領域１４より再生動作を実行するために必要となるナビゲーション情報を取得し、メモリ７に保存する（ステップＳ１２）。続いて記録媒体９からスポンサ情報１００を取得し、同様にメモリ７上に保存する（ステップＳ１３）。次にＣＰＵ６は記録媒体９上に保存されている番組をユーザに示すために、ナビゲーションデータを利用して図５に示すようにモニタ１２上のメニュー画面１７に番組ごとのサムネイル１８−１〜１８−６を出力する（ステップＳ１４）。
【００１４】
ユーザによってサムネイル１８の中から再生したい番組が選択されると、図６に示すよう対象番組に関する情報を示すための画面１７−２が出力される（ステップＳ１５）。この画面１７−２には、選択した番組のサムネイル１８−１と共に、メモリ７に保存しておいたスポンサ情報１６がプライオリティ情報１０１とアピール方法１０２を踏まえた形で出力される。すなわち、記録媒体９に、複数のスポンサ情報１００がそのスポンサ情報１００に対応するコマーシャルのプライオリティ情報１０１をそれぞれ含んで記録されている場合に、記録された複数のスポンサ情報１００のアピール方法１０２内の詳細情報２０−１〜２０−４をプライオリティ情報１０１に基づいた順番で出力する（スポンサ情報出力手段）。
【００１５】
ここで、ユーザが、各スポンサ情報１６ごとにプライオリティ順に配列した詳細情報２０−１〜２０−４のうちの一つを選択し、ホームページの接続を選択すると（ステップＳ１６でＹＥＳ）、ＣＰＵ６はメモリ７上のスポンサ情報１６から当該スポンサのＵＲＬを取得し、モデム１０を通じてインターネット１３上のプロバイダ（ＩＳＰ）１０３のホームページ（ＨＰ）にアクセスしてホームページを取得し、取得したホームページの画像を出力する（ステップＳ１９）。ホームページ（ＨＰ）へのアクセスが終了された場合（ステップＳ２０）、又は詳細情報２０−１〜２０−４のいずれもが選択されない場台、ＣＰＵ６はステップＳ１７、Ｓ１８における再生開始などの次の処理への状態遷移のために待機する。
【図面の簡単な説明】
【００１６】
【図１】テレビ放送番組内のコマーシャル区間の信号垂直帰線消去区間に重畳されているコマーシャルのスポンサ情報の一例を示す説明図である。
【図２】本発明の一実施の形態における記録再生機を示すブロック図である。
【図３】図１のスポンサ情報を図２の記録媒体９に記録する論理的な位置を示す説明図である。
【図４】図２の記録媒体９上に記録したスポンサ情報を示す説明図である。
【図５】再生時に出力するメニュー画面を示す説明図である。
【図６】図５に示したメニュー画面のうちの１つの番組を選択した際に出力される画面を示す説明図である。
【図７】本発明における記録動作時のフローチャートである。
【図８】本発明における再生動作時のフローチャートである。
【符号の説明】
【００１７】
６  ＣＰＵ
７  メモリ
８  ピックアップ
９  記録媒体
１１  記録再生機
１２  モニタ
１３  インターネット
１０３  プロバイダ（ＩＳＰ）
【図１】
2007116553.tif 000003
【図２】
2007116553.tif 000004
【図３】
2007116553.tif 000005
【図４】
2007116553.tif 000006
【図５】
2007116553.tif 000007
【図６】
2007116553.tif 000008
【図７】
2007116553.tif 000009
【図８】
2007116553.tif 000010